(57)【要約】【課題】安全性の高い電気加熱調理器を提供する。【解決手段】前面に開口（図示せず）を有する調理室２を形成する内筐体１と、前記内筐体１を覆う外筐体７を備え、前記外筐体７の一側部をＬ字状に折り曲げ更に直角方向に９０度折り曲げて前記内筐体１に取り付けると共に、前記内筐体１の、前記外筐体７の９０度折り曲げた底面部８ｄの端面に対向する部分に切り起し１ｂを設けたもので、外筐体７の９０度折り曲げが大きくなって角部が内筐体１から浮いても切り起し１ｂによって飛びだすことがないので手を切る恐れの無い安全な電気加熱調理器を提供することができる。【選択図】図２
2011012914.tif 000002
【特許請求の範囲】
【請求項１】
前面に開口を有する調理室を形成する内筐体と、前記内筐体を覆う外筐体を備え、前記外筐体の一側部をＬ字状に折り曲げ更に直角方向に９０度折り曲げて前記内筐体に取り付けると共に、前記内筐体の、前記外筐体の９０度折り曲げた部分の端面に対向する部分に切り起しを設けた電気加熱調理器。
【請求項２】
前面に開口を有する調理室を形成する内筐体と、前記内筐体を覆う外筐体を備え、前記外筐体の一側部をＬ字状に折り曲げ更に直角方向に９０度折り曲げ、前記内筐体の一側部をＬ字状に折り曲げ、前記内筐体の折り曲げ部に前記外筐体を重ね合わせて取り付けると共に、前記内筐体の、前記外筐体の９０度折り曲げた部分の端面角部に対向する部分に切り起しを設けた電気加熱調理器。
【発明の詳細な説明】
【技術分野】
【０００１】
本発明は、一般家庭で使用されるオーブントースター等の電気加熱調理器に関するもので、特に電気加熱調理器の外筐体に関するものである。
【背景技術】
【０００２】
従来、この種の電気加熱調理器として、図５に示されるようなものがある（例えば、特許文献１参照）。
【０００３】
図５は、前記特許文献１に記載された従来の電気加熱調理器の部分分解斜視図である。図５において、従来の電気加熱調理器の外郭の一部は、外板３１と、外筐体である側板３３と、化粧板３２から構成され、側板３３は、前後部を折り曲げて強度を強くし、更に直角方向に９０度折り曲げて化粧板３２に取り付けられている。
【先行技術文献】
【特許文献】
【０００４】
【特許文献１】実開昭６３−４３００５号公報（実願昭６１−１３５６８９号のマイクロフイルム）
【発明の概要】
【発明が解決しようとする課題】
【０００５】
しかしながら、前記従来の電気加熱調理器の構成では、側板３３の直角方向の９０度折り曲げた部分が開き易く、そのため化粧板３２に取り付けた時、化粧板３２の下面から浮いた状態になり易い。そして、側板３３が浮くと、折り曲げている角部も浮くので、清掃時等で側板３３を拭くと角部で手を切り易いという課題を有していた。
【０００６】
本発明は、前記従来の課題を解決するもので、安全性が高い電気加熱調理器を提供することを目的とするものである。
【課題を解決するための手段】
【０００７】
前記従来の課題を解決するために、本発明の電気加熱調理器は、前面に開口を有する調理室を形成する内筐体と、前記内筐体を覆う外筐体を備え、前記外筐体の一側部をＬ字状に折り曲げ更に直角方向に９０度折り曲げて前記内筐体に取り付けると共に、前記内筐体の、前記外筐体の９０度折り曲げた部分の端面に対向する部分に切り起しを設けたもので、外筐体の９０度折り曲げが大きくなって角部が内筐体から浮いても切り起しによって飛びだすことがないので手を切る恐れの無い安全な電気加熱調理器を提供することができる。
【０００８】
また、本発明の電気加熱調理器は、前面に開口を有する調理室を形成する内筐体と、前記内筐体を覆う外筐体を備え、前記外筐体の一側部をＬ字状に折り曲げ更に直角方向に９０度折り曲げ、前記内筐体の一側部をＬ字状に折り曲げ、前記内筐体の折り曲げ部に前記外筐体を重ね合わせて取り付けると共に、前記内筐体の、前記外筐体の９０度折り曲げた部分の端面角部に対向する部分に切り起しを設けたもので、外筐体の９０度折り曲げが大きくなって角部が内筐体から浮いても切り起しによって飛び出しがなく、しかも取り付け時のズレが生じて内筐体と外筐体に隙間が出来ても角部が、切り起しによって飛び出すことがなく、手を切る恐れの無い安全な電気加熱調理器を提供することができる。
【発明の効果】
【０００９】
本発明の電気加熱調理器は、外筐体の一側部をＬ字状に折り曲げ更に直角方向に９０度折り曲げて内筐体に取り付けた構成において、９０度に折り曲げた外筐体の端面に対向する内筐体に切り起しを設けたことにより、外筐体の補強の為に構成した折り曲げ部を設けて角部が形成されても、角部の対向部に切り起しがあるので角部が飛び出さず、安全性に優れた電気加熱調理器とすることができる。
【図面の簡単な説明】
【００１０】
【図１】本発明の実施の形態１における電気加熱調理器の横断面図
【図２】同電気加熱調理器の要部分解斜視図
【図３】同電気加熱調理器の要部分解斜視図
【図４】同電気加熱調理器の要部拡大斜視図
【図５】従来の電気加熱調理器の部分分解斜視図
【発明を実施するための形態】
【００１１】
第１の発明は、前面に開口を有する調理室を形成する内筐体と、前記内筐体を覆う外筐体を備え、前記外筐体の一側部をＬ字状に折り曲げ更に直角方向に９０度折り曲げて前記内筐体に取り付けると共に、前記内筐体の、前記外筐体の９０度折り曲げた部分の端面に対向する部分に切り起しを設けたもので、外筐体の９０度折り曲げが大きくなって角部が内筐体から浮いても切り起しによって飛びだすことがないので手を切る恐れの無い安全な電気加熱調理器を提供することができる。
【００１２】
第２の発明は、前面に開口を有する調理室を形成する内筐体と、前記内筐体を覆う外筐体を備え、前記外筐体の一側部をＬ字状に折り曲げ更に直角方向に９０度折り曲げ、前記内筐体の一側部をＬ字状に折り曲げ、前記内筐体の折り曲げ部に前記外筐体を重ね合わせて取り付けると共に、前記内筐体の、前記外筐体の９０度折り曲げた部分の端面角部に対向する部分に切り起しを設けたもので、外筐体の９０度折り曲げが大きくなって角部が内筐体から浮いても切り起しによって飛び出しがなく、しかも取り付け時のズレが生じて内筐体と外筐体に隙間が出来ても角部が、切り起しによって飛び出すことがなく、手を切る恐れの無い安全な電気加熱調理器を提供することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における電気加熱調理器の横断面図、図２及び図３は、同電気加熱調理器の要部分解斜視図、図４は、同電気加熱調理器の要部拡大斜視図である。
【００１５】
図１〜４において、１は、前面に、開口２ａを有する調理室２を形成する内筐体である。扉３は、該調理室２の開口２ａを開閉している。調理室２内の上下には、上ヒータ４と下ヒータ５を配している。上下ヒータ４、５間には網６を配している。
【００１６】
７は、内筐体１を覆う外筐体で、上部および両側部を覆う外板８と、後方部を覆う後板９で構成している。外板８は、後端面を折り曲げて折り曲げ部８ａを設けて強度を強くして構成している。さらに外板８は、直角方向に箱状に折り曲げて、すなわちＬ字状に折り曲げ更に直角方向に９０度折り曲げて、天面部８ｂと側面部８ｃ及び底面部８ｄを形成している。
【００１７】
内筐体１は、後方部を上方向に折り曲げて折り曲げ部Ｂ１ａを設け、内筐体１の強度を高めている。外板８の底面部８ｄを、内筐体１の下面に重ね合わせ、かつ折り曲げ部８ａ
を内筐体１の折り曲げ部Ｂ１ａの外側に覆うようにして取り付けた時、外板８の９０度折り曲げ部分である底面部８ｄの端面に対向する内筐体１に切り起し１ｂを設けて構成している。
【００１８】
以上のように構成された本実施の形態における電気加熱調理器について、以下その作用を説明する。
【００１９】
まず、外板８を内筐体１に取り付けた時、外板８は、内筐体１に内面が密着して取り付けられる。しかし外板８の側面部８ｃ及び底面部８ｄ間の曲げが大きくなると、外板８の底面部８ｄは、内筐体１から浮いた状態となる。そのため外板８の折り曲げ部８ａを形成した為に生じた角部も内筐体１から浮く。しかし、本実施の形態では、切り起し１ｂが、内筐体１の外板８の端面に対向する部分に設けられているので、角部が、内筐体１から飛び出ない状態となり、清掃等で外筐体７を拭いても怪我をする恐れが無い構成と成る。
【００２０】
しかも内筐体１の折り曲げ部Ｂ１ａにも、外板８の端面に対向する部分に切り起し１ｂを設けているので、外筐体７の取り付けがズレても外板８の角部が内筐体１から飛び出さない安全な構成と成る。
【００２１】
以上のように、本実施の形態においては、外筐体７の強度を高める為に設けた折り曲げがあって形成される角部があっても、内筐体１に設けた切り起し１ｂで角部が飛び出さない安全性の高い電気加熱調理器とすることができる。
【産業上の利用可能性】
【００２２】
以上のように、本発明にかかる電気加熱調理器は、強度が強く、しかも安全性の高い筐体構成が可能となるので、フィッシュロースターやオ−ブン等の用途にも適用できる。
【符号の説明】
【００２３】
１  内筐体
１ｂ  切り起し
２  調理室
７  外筐体
８  外板（外筐体）
８ｄ  底面部
９  後板（外筐体）
【図１】
2011012914.tif 000003
【図２】
2011012914.tif 000004
【図３】
2011012914.tif 000005
【図４】
2011012914.tif 000006
【図５】
2011012914.tif 000007